(57)【要約】  【課題】チリ取り本体とゴミ袋の２つの部品のみで構成すると共に、チリ取り本体にゴミ袋を簡単に着脱することができるようなチリ取り装置を実現する。  【解決手段】チリ取り本体１は、掃き入れ口２から奥部へ延びる底板３、右枠４Ｒ、左枠４Ｌ、及び上板６で囲まれた後部領域に開口部７が形成されている。右枠４Ｒの上部で外向きに形成された右鍔５Ｒには、該右鍔５Ｒを挟むように回動する右挟持部材１２Ｒが付設され、左枠４Ｌの上部で外向きに形成された左鍔５Ｌには、該左鍔５Ｌを挟むように回動する左挟持部材１２Ｌが付設されている。ゴミ袋２１がチリ取り本体１の後部側から底板３、右枠４Ｒ、左枠４Ｌ、及び上板６を覆ったとき、該チリ取り本体１の掃き入れ口２は、開口部６を経由してゴミ袋２１の奥部へ通じ、該ゴミ袋２１の開口部分は、右挟持部材１２Ｒ及び左挟持部材１２Ｌによって右鍔５Ｒ及び左鍔５Ｌの位置で挟持される。【選択図】図３
2012135436.tif 000002
【特許請求の範囲】
【請求項１】
チリ取り本体にゴミ袋を着脱可能に取り付けられるチリ取り装置であって、
前記チリ取り本体は、
掃き入れ口から奥部へ延びる底板と右枠及び左枠と上板とによって囲まれた後部領域に形成される開口部と、
前記右枠の上部において外向きに形成された右鍔に取り付けられ、右枠回動ピンを支点として該右鍔を挟むように回動する右挟持部材と、
前記左枠の上部において外向きに形成された左鍔に取り付けられ、左枠回動ピンを支点として該左鍔を挟むように回動する左挟持部材とを備え、
前記ゴミ袋が、前記チリ取り本体の後部側から前記底板と前記右枠及び前記左枠と前記上板とを覆ったとき、該チリ取り本体の掃き入れ口は前記開口部を経由して該ゴミ袋の奥部へ通じると共に、該ゴミ袋の開口部分は、前記右挟持部材及び前記左挟持部材によって前記右鍔及び前記左鍔の位置で挟持されることを特徴とするチリ取り装置。
【請求項２】
上記上板の略中央部分の前端部に取り付けられ、上板回動ピンを支点として該上板を挟むように回動する上板挟持部材をさらに備え、
上記ゴミ袋が、上記チリ取り本体の後部側から上記底板と上記右枠及び上記左枠と上記上板とを覆ったとき、該ゴミ袋の開口部分は、上記右鍔及び上記左鍔の挟持位置に加えて、前記上板挟持部材によって上記上板の端部で挟持されることを特徴とする請求項１記載のチリ取り装置。
【請求項３】
上記右挟持部材、上記左挟持部材、及び上記上板挟持部材は、それぞれ、上記右鍔の縁部、上記左鍔の縁部、及び上記上板の縁部を挟み込むように、断面がコの字状に形成されていることを特徴とする請求項１又は２記載のチリ取り装置。
【請求項４】
チリ取り本体にゴミ袋を着脱可能に取り付けられるチリ取り装置であって、
前記チリ取り本体は、
掃き入れ口と右枠と左枠とによって囲まれた領域に形成される開口部と、
前記右枠から外向きに形成された右鍔に取り付けられ、右枠回動ピンを支点として該右鍔を挟むように回動する右挟持部材と、
前記左枠から外向きに形成された左鍔に取り付けられ、左枠回動ピンを支点として該左鍔を挟むように回動する左挟持部材とを備え、
前記ゴミ袋が、前記チリ取り本体の後部側から前記右枠と前記左枠と前記掃き入れ口とを覆ったとき、該チリ取り本体の掃き入れ口は前記開口部を経由して該ゴミ袋の奥部へ通じると共に、該ゴミ袋の開口部分は、前記右挟持部材及び前記左挟持部材によって前記右鍔及び前記左鍔の位置で挟持されることを特徴とするチリ取り装置。
【発明の詳細な説明】
【技術分野】
【０００１】
本発明は、ごみ収集作業の効率化を図ったチリ取り装置に関するものであり、特に、ゴミ袋の着脱可能なチリ取り装置に関するものである。
【背景技術】
【０００２】
一般的なチリ取り装置は、ゴミを掃いて収集したらその都度ゴミをゴミ袋へ回収している。従って、大量のゴミをチリ取り装置で掃いて収集する場合は、何回もゴミ袋へ回収しなければならないので、ゴミ収集用のチリ取り装置としての使い勝手が極めて悪い。そこで、使い勝手の改善を図るために、小型のチリ取り本体の底部に大きな穴を開けてその開口部にゴミ袋を取り付けたチリ取り装置の技術が開示されている（例えば、特許文献１参照）このチリ取り装置の技術によれば、小型のチリ取り本体の底部に掃き入れ口と周囲枠だけを残す程度の大きな開口穴を空け、その開口穴の裏側からゴミ袋の開口部分を挿通させて、該ゴミ袋の開口部分の周囲縁をチリ取り本体の周囲枠側へ折り曲げている。さらに、ゴミ袋の開口部分の周囲縁の折り曲げ部分とチリ取り本体の周囲枠とを一緒に輪ゴムなどで留めてゴミ袋を小型チリ取り本体に固定している。これによって、チリ取り装置で掃き取ったゴミは自動的にゴミ袋へ回収されるので、チリ取り装置としての使い勝手が極めてよくなる。
【０００３】
また、正方形の内枠とチリ取り本体付き外枠とによってゴミ袋の開口部分の周囲縁を挟むことでチリ取り本体とゴミ袋とを一体化したチリ取り装置の技術も開示されている（例えば、特許文献２参照）。この技術によれば、正方形の内枠と、チリ取り部分が取り付けられた正方形のチリ取り本体付き外枠とを備え、内枠の開口穴からゴミ袋の開口部分を挿通させて、該ゴミ袋の開口部分の周囲縁を前記内枠の外側へ折り曲げた後、チリ取り本体付き外枠を前記内枠の外周にはめ込むことにより、外枠に付設されたチリ取り本体とゴミ袋とを一体化したチリ取り装置を構成することができる。これによって、該チリ取り装置で掃き取ったゴミはそのままゴミ袋に回収されるので、チリ取り装置としての使い勝手がかなりよくなる。
【先行技術文献】
【特許文献】
【０００４】
【特許文献１】特開２００１−３５３１２０号公報
【特許文献２】特開２００８−１６２７９３号公報
【発明の概要】
【発明が解決しようとする課題】
【０００５】
しかしながら、上記特許文献１に記載されたチリ取り装置の技術は、ゴミ袋の開口部分の周囲縁とチリ取り本体の周囲枠とを輪ゴム等で締めて一体的に固定する必要がある。そのため、ゴミ袋及びチリ取り本体とは別に輪ゴム等の弾性体を用意し、ゴミ袋の中身が一杯になったら、その都度、輪ゴム等を着脱してゴミ袋を交換する必要がある。従って、ゴミ袋の取替え作業が面倒であると共に、清掃作業中に輪ゴム等を紛失してしまうおそれがある。また、特許文献２に記載されたチリ取り装置の技術は、内枠とチリ取り本体付外枠とゴミ袋との３点の部品で構成されているので、チリ取り装置としての部品点数が多くなるために取り扱いが不便である。
【０００６】
そこで、チリ取り本体とゴミ袋の２つの部品のみで構成すると共に、チリ取り本体にゴミ袋を簡単に着脱することができるようなチリ取り装置を実現するめに解決すべき技術的課題が生じてくるのであり、本発明はこの課題を解決することを目的とする。
【課題を解決するための手段】
【０００７】
本発明は上記目的を達成するために提案されたものであり、請求項１記載の発明は、チリ取り本体にゴミ袋を着脱可能に取り付けられるチリ取り装置であって、前記チリ取り本体は、掃き入れ口から奥部へ延びる底板と右枠及び左枠と上板とによって囲まれた後部領域に形成される開口部と、前記右枠の上部において外向きに形成された右鍔に取り付けられ、右枠回動ピンを支点として該右鍔を挟むように回動する右挟持部材と、前記左枠の上部において外向きに形成された左鍔に取り付けられ、左枠回動ピンを支点として該左鍔を挟むように回動する左挟持部材とを備え、前記ゴミ袋が、前記チリ取り本体の後部側から前記底板と前記右枠及び前記左枠と前記上板とを覆ったとき、該チリ取り本体の掃き入れ口は前記開口部を経由して該ゴミ袋の奥部へ通じると共に、該ゴミ袋の開口部分は、前記右挟持部材及び前記左挟持部材によって前記右鍔及び前記左鍔の位置で挟持されるように構成されたことを特徴とするチリ取り装置を提供する。
【０００８】
この構成によれば、ゴミ袋がチリ取り本体を後部側から覆ったとき、該ゴミ袋の開口部分の下側縁を掃き入れ口の裏面側から表面側へ折り曲げている。さらに、ゴミ袋の開口部分の左右の縁は、それぞれ、右挟持部材及び左挟持部材によって右鍔及び左鍔の位置で挟持される。これによって、ゴミ袋の開口部分の縁はチリ取り本体の左右２箇所で挟持されると共に、ゴミ袋の開口部分はチリ取り本体の掃き入れ口から該ゴミ袋の奥部へ通じる状態となるので、チリ取り装置によってゴミの掃き取りとゴミ袋への収集とを一括作業で効率的に行うことができる。
【０００９】
請求項２記載の発明は、上記上板の略中央部分の前端部に取り付けられ、上板回動ピンを支点として該上板を挟むように回動する上板挟持部材をさらに備え、上記ゴミ袋が、上記チリ取り本体の後部側から上記底板と上記右枠及び上記左枠と上記上板とを覆ったとき、該ゴミ袋の開口部分は、上記右鍔及び上記左鍔の挟持位置に加えて、前記上板挟持部材によって上記上板の端部で挟持されることを特徴とする請求項１記載のチリ取り装置を提供する。
【００１０】
この構成によれば、ゴミ袋の開口部分をチリ取り本体の後部側から覆ったとき、該ゴミ袋の開口部分を掃き入れ口の裏面側から表面側へ折り曲げている。さらに、ゴミ袋の開口部分の左右の縁を、右挟持部材及び左挟持部材によって右鍔及び左鍔の位置で挟持すると共に、該ゴミ袋の開口部分の上部の縁を上板挟持部材によって上板の端部で挟持している。これによって、ゴミ袋は、チリ取り本体の３箇所で挟持されるので、ゴミの掃き取り作業中にチリ取り本体からゴミ袋が離脱するおそれは殆んどなくなる。
【００１１】
請求項３記載の発明は、上記右挟持部材、上記左挟持部材、及び上記上板挟持部材は、それぞれ、上記右鍔の縁部、上記左鍔の縁部、及び上記上板の縁部を挟み込むように、断面がコの字状に形成されていることを特徴とする請求項１又は２記載のチリ取り装置を提供する。
【００１２】
この構成によれば、右挟持部材、左挟持部材、及び上板挟持部材の断面は、それぞれ、コの字状に形成されているので、ゴミ袋の開口部分の左右の縁及び上部の縁を、右挟持部材、左挟持部材、及び上板挟持部材のスリットによって強固に挟持することができる。しかも、右挟持部材、左挟持部材、及び上板挟持部材を回動させれば、ゴミ袋の開口部分の３箇所の縁をチリ取り本体から容易に取り外すことができる。
【００１３】
請求項４記載の発明は、チリ取り本体にゴミ袋を着脱可能に取り付けられるチリ取り装置であって、前記チリ取り本体は、掃き入れ口と右枠と左枠とによって囲まれた領域に形成される開口部と、前記右枠から外向きに形成された右鍔に取り付けられ、右枠回動ピンを支点として該右鍔を挟むように回動する右挟持部材と、前記左枠から外向きに形成された左鍔に取り付けられ、左枠回動ピンを支点として該左鍔を挟むように回動する左挟持部材とを備え、前記ゴミ袋が、前記チリ取り本体の後部側から前記右枠と前記左枠と前記掃き入れ口とを覆ったとき、該チリ取り本体の掃き入れ口は前記開口部を経由して該ゴミ袋の奥部へ通じると共に、該ゴミ袋の開口部分は、前記右挟持部材及び前記左挟持部材によって前記右鍔及び前記左鍔の位置で挟持されることを特徴とするチリ取り装置を提供する。
【００１４】
この構成によれば、ゴミ袋がチリ取り本体を後部側から覆ったとき、該ゴミ袋の開口部分の下側縁を掃き入れ口の裏面側から表面側へ折り曲げている。さらに、ゴミ袋の開口部分の左右の縁は、それぞれ、右挟持部材及び左挟持部材によって右鍔及び左鍔の位置で挟持される。これによって、ゴミ袋の開口部分の縁はチリ取り本体の左右２箇所で挟持されると共に、ゴミ袋の開口部分はチリ取り本体の掃き入れ口から該ゴミ袋の奥部へ通じる状態となるので、チリ取り装置によってゴミの掃き取りとゴミ袋への収集とを一括作業で効率的に行うことができる。
【発明の効果】
【００１５】
請求項１記載の発明は、ゴミ袋をチリ取り本体の後部側から覆い被せた後、該ゴミ袋の開口部分の左右の縁を、それぞれ、右挟持部材及び左挟持部材で挟持することができる。すなわち、該ゴミ袋の開口部分の左右の縁を右鍔及び左鍔に沿わせた後に右挟持部材及び左挟持部材をそれぞれ回動させて右鍔及び左鍔に挟持させれば、チリ取り本体に対してゴミ袋の開口部分の２箇所を挟持することができる。さらに、右挟持部材及び左挟持部材を、それぞれ、挟持側から反対方向へ回動させれば、チリ取り本体からゴミ袋を容易に取り外すことができる。これによって、ゴミの掃き取りとゴミ袋への収集及びゴミ袋の回収を単純な工程で効率的に行うことが可能となる。従って、使い勝手のよいチリ取り装置を提供することができる。
【００１６】
請求項２記載の発明は、ゴミ袋の開口部分の上部の縁は、上板挟持部材によって上板の端部で挟持されるので、請求項１記載の発明の効果に加えて、ゴミ袋の開口部分の縁はチリ取り本体の３箇所で挟持されると共に、ゴミ袋はチリ取り本体から容易に着脱することができるので、チリ取り装置によるゴミの掃き取りとゴミ袋への収集及びゴミ袋の回収を一括して効率的に行うことができる。
【００１７】
請求項３記載の発明は、右挟持部材、左挟持部材、及び上板挟持部材の断面は、それぞれ、コの字状に形成されているので、請求項１又は２記載の発明の効果に加えて、ゴミ袋の開口部分の左右の縁及び上部の縁を、右枠体、左枠体及び上板の３箇所の位置で強固に挟持することができる。しかも、右挟持部材、左挟持部材、及び上板挟持部材を挟持側から反対方向へ回動させれば、ゴミ袋の開口部分の３箇所の縁をチリ取り本体から容易に取り外すことができる。
【００１８】
請求項４記載の発明は、ゴミ袋をチリ取り本体の後部側から覆い被せた後、該ゴミ袋の開口部分の左右の縁を、それぞれ、右挟持部材及び左挟持部材で挟持することができる。このようにして、チリ取り本体に対してゴミ袋の開口部分の２箇所を挟持することができると共に、チリ取り本体からゴミ袋を容易に着脱することができるので、ゴミの掃き取りとゴミ袋への収集とを効率的に行うことが可能となる。従って、使い勝手のよいチリ取り装置を提供することができる。
【図面の簡単な説明】
【００１９】
【図１】本発明の実施例１に係るチリ取り本体の構成を示す斜視図。
【図２】図１に示すチリ取り本体の側面図。
【図３】図１に示すチリ取り本体にゴミ袋を装着した場合の実施例１のチリ取り装置の構成を示す斜視図。
【図４】本発明の実施例２に係るチリ取り本体の構成を示す正面図。
【図５】図４に示すチリ取り本体の側面図。
【図６】図４に示すチリ取り本体にゴミ袋を装着した場合の実施例２のチリ取り装置の構成を示す斜視図。
【発明を実施するための形態】
【００２０】
本発明は、チリ取り本体とゴミ袋の２つの部品のみで構成すると共に、チリ取り本体にゴミ袋を簡単に着脱することができるようなチリ取り装置を実現するという目的を達成するために、チリ取り本体にゴミ袋を着脱可能に取り付けられるチリ取り装置であって、前記チリ取り本体は、掃き入れ口から奥部へ延びる底板と右枠及び左枠と上板とによって囲まれた後部領域に形成される開口部と、前記右枠の上部において外向きに形成された右鍔に取り付けられ、右枠回動ピンを支点として該右鍔を挟むように回動する右挟持部材と、前記左枠の上部において外向きに形成された左鍔に取り付けられ、左枠回動ピンを支点として該左鍔を挟むように回動する左挟持部材とを備え、前記ゴミ袋が、前記チリ取り本体の後部側から前記底板と前記右枠及び前記左枠と前記上板とを覆ったとき、該チリ取り本体の掃き入れ口は前記開口部を経由して該ゴミ袋の奥部へ通じると共に、該ゴミ袋の開口部分は、前記右挟持部材及び前記左挟持部材によって前記右鍔及び前記左鍔の位置で挟持されることを特徴とするチリ取り装置を提供することによって実現した。
【実施例１】
【００２１】
以下、本発明の好適な実施例を図１乃至図６に従って説明する。図１は、本発明の実施例１に係るチリ取り本体の構成を示す斜視図である。また、図２は、図１に示すチリ取り本体の側面図である。先ず、図１を用いて本発明の実施例１に係るチリ取り本体の構成について説明する。図１に示すように、チリ取り本体１は、掃き入れ口２を含む底板３と、底板３の左右端からそれぞれ垂直に立ち上がり、奥部へ行くにしたがって高さが高くなるように形成された右枠４Ｒ及び左枠４Ｌと、右枠４Ｒ及び左枠４Ｌの頂部において僅かに外側へ折れ曲がった右鍔５Ｒ及び左鍔５Ｌと、右枠４Ｒの後部側の上部と左枠４Ｌの後部側の上部とを跨いでブリッジする上板６と、底板３と右枠４Ｒ及び左枠４Ｌと上板６とによって囲まれた後部の領域を開口する開口部７と、上板６の左右端の近傍を跨ぐようにして取り付けられ、且つ前後方向へ回動可能に構成された門型把体８と、門型把体８の高さ方向の略中央部分において該門型把体８の両端をブリッジするように取り付けられた補強部材９と、門型把体８の頂部において該門型把体８の両端をブリッジするように取り付けられた把手１０とによって概略構成されている。
【００２２】
また、本実施形態のチリ取り本体１は、右枠４Ｒの上部に形成された右鍔５Ｒに取り付けられ、右枠回動ピン１１Ｒを支点として右鍔５Ｒを挟むように回動する右挟持部材１２Ｒと、左枠４Ｌの上部に形成された左鍔５Ｌに取り付けられ、左枠回動ピン１１Ｌを支点として左鍔５Ｌを挟むように回動する左挟持部材１２Ｌと、上板６の略中央部分の前端部に取り付けられ、上板回動ピン１１Ｕを支点として上板７を挟むように回動する上板挟持部材１２Ｕとを備えている。右枠回動ピン１１Ｒを支点として右鍔５Ｒを挟むように回動する右挟持部材１２Ｒは、図２に示すような構成となっている。左挟持部材１２Ｌ及び上板挟持部材１２Ｕの構成については特に図示されていないが、図２に示す右挟持部材１２Ｒの構成と同様である。
【００２３】
このような構成のチリ取り本体１の特徴とする点は、底板３と右枠４Ｒ及び左枠４Ｌと上板６とによって囲まれた後部領域が開口部７によって開口されている点と、右挟持部材１２Ｒが右枠回動ピン１１Ｒを支点として右枠４Ｒの上部の右鍔５Ｒを挟むように回動する点と、左挟持部材１２Ｌが左枠回動ピン１１Ｌを支点として左枠４Ｌの上部の左鍔５Ｌを挟むように回動する点と、上板挟持部材１２Ｕが上板回動ピン１１Ｕを支点として上板６の前端部を挟むように回動する点である。
【００２４】
次に、図１に示すようなチリ取り本体１にゴミ袋を装着してチリ取り装置を構成する形態について説明する。図３は、図１に示すチリ取り本体にゴミ袋を装着した場合の実施例１のチリ取り装置の構成を示す斜視図である。図３に示すように、チリ取り装置２０は、図１に示す構成のチリ取り本体１と、該チリ取り本体１に装着されたゴミ袋２１とによって構成されている。
【００２５】
図３に示すように、チリ取り本体１の後部から上板６と右枠４Ｒ及び左枠４Ｌとを包み込むようにゴミ袋２１の開口部分を覆い被せる。さらに、覆い被せたゴミ袋２１の開口部分の下部を底板３の裏面側に滑り込ませる。
【００２６】
その後、ゴミ袋２１の開口部分の右端部を右鍔５Ｒに沿わせた後、右枠回動ピン１１Ｒを支点として右挟持部材１２Ｒを矢印ａ１の方向へ回動させて、右鍔５Ｒとゴミ袋２１の開口部分の右端部とを一括して右挟持部材１２Ｒのスリット部分で挟み込む。
【００２７】
同様にして、ゴミ袋２１の開口部分の左端部を左鍔５Ｌに沿わせた後、左枠回動ピン１１Ｌを支点として左挟持部材１２Ｌを矢印ｂ１の方向へ回動させて、左鍔５Ｌとゴミ袋２１の開口部分の左端部とを一括して左挟持部材１２Ｌのスリット部分で挟み込む。
【００２８】
これによって、ゴミ袋２１の開口部分の左右端は、左挟持部材１２Ｌ及び右挟持部材１２Ｒによって左鍔５Ｌ及び右鍔５Ｒと共に挟み込まれて固定される。さらに、ゴミ袋２１の開口部分の下端部は底板３の裏面側を覆った状態になっている。従って、ゴミ袋２１の開口部分は、掃き入れ口２から開口部７を経由して奥部へ通じた状態となる。そのため、チリ取り本体１の掃き入れ口２から掃き込まれたゴミは開口部７から逐次ゴミ袋２１の内部へ収集される。これによって、チリ取り装置で掃き取ったゴミをその都度ゴミ袋へ回収する手間を省くことができるので、チリ取り装置の使い勝手が一段と向上する。
【００２９】
尚、必要に応じて、ゴミ袋２１の開口部分の上端部の耳部分を上板６の端部に折り曲げた後、上板挟持部材１２Ｕを図１の矢印ｃ１の方向へ回動させて、上板６とゴミ袋２１の耳部分とを一括して上板挟持部材１２Ｕで挟み込んでもよい。これによって、ゴミ袋２１の開口部分は左右端部と上端の耳部分との３箇所でチリ取り本体１に固定されるので、ゴミ袋２１の開口部分は、チリ取り本体１に対してより確実に固定されて開口状態を維持することができる。
【００３０】
このようにしてチリ取り本体１の掃き入れ口２から掃き込まれたゴミでゴミ袋２１が一杯になったら、図３に示すように、右枠回動ピン１１Ｒを支点として右挟持部材１２Ｒを矢印ａ２の方向へ回動させる。これによって、ゴミ袋２１の開口部分の右端部は固定状態から開放される。同様にして、左枠回動ピン１１Ｌを支点として左挟持部材１２Ｌを矢印ｂ２の方向へ回動させる。これによって、ゴミ袋２１の開口部分の左端部は固定状態から開放される。従って、ゴミで一杯になったゴミ袋２１をチリ取り本体１から分離させて、ゴミ袋２１を廃棄処分することができる。
【００３１】
尚、ゴミ袋２１の開口部分の上端部も含めて３点でチリ取り本体１に固定されている場合は、上述のようにゴミ袋２１の開口部分の左右端の開放に加えて、上板回動ピン１１Ｕを支点として上板挟持部材１２Ｕを矢印ｃ２の方向へ回動させる。これによって、ゴミ袋２１の開口部分の上端部も固定状態から開放されるので、ゴミで一杯になったゴミ袋２１をチリ取り本体１から分離させて、ゴミ袋２１を廃棄処分することができる。
【００３２】
すなわち、本実施例のチリ取り装置２０は、右挟持部材１２Ｒと左挟持部材１２Ｌの２箇所、又は上板挟持部材１２Ｕを加えた３箇所の挟持部材を回動させる操作を行うだけで、チリ取り本体１からゴミ袋１２を容易に着脱して交換することができるので、チリ取り装置２０の使い勝手が一段と向上する。
【実施例２】
【００３３】
次に、本発明の実施例２に係るチリ取り装置について説明する。図４は、本発明の実施例２に係るチリ取り本体の構成を示す正面図であり、図５は、図４に示すチリ取り本体の側面図である。図４、図５に示すように、本発明の実施例２に係るチリ取り本体３１は、掃き入れ口３２と、掃き入れ口３２の両サイドから上方へ延びる右枠３４Ｒ及び左枠３４Ｌと、右枠３４Ｒ及び左枠３４Ｌの外縁部から僅かに外側へ折れ曲がった右鍔３５Ｒ及び左鍔３５Ｌと、右枠３４Ｒと左枠３４Ｌとが一体化された上方の位置から延在された棒状把手３６と、掃き入れ口３２と右枠３４Ｒと左枠３４Ｌとによって囲まれた領域を開口する開口部３７とによって概略構成されている。
【００３４】
また、本実施形態のチリ取り本体３１は、右枠３４Ｒの外縁部に形成された右鍔３５Ｒに取り付けられ、右枠回動ピン３８Ｒを支点として右鍔３５Ｒを挟むように回動する右挟持部材３９Ｒと、左枠３４Ｌの外縁部に形成された左鍔３５Ｌに取り付けられ、左枠回動ピン３８Ｌを支点として左鍔３５Ｌを挟むように回動する左挟持部材３９Ｌとを備えている。
【００３５】
このような構成のチリ取り本体３１の特徴とする点は、掃き入れ口３２と右枠３４Ｒと左枠３４Ｌとによって囲まれた領域が開口部３７よって開口されている点と、右挟持部材３９Ｒが右枠回動ピン３８Ｒを支点として右枠３４Ｒの外縁部の右鍔３５Ｒを挟むように回動する点と、左挟持部材３９Ｌが左枠回動ピン３８Ｌを支点として左枠３４Ｌの外縁部の左鍔３５Ｌを挟むように回動する点である。
【００３６】
次に、図４に示すようなチリ取り本体３１にゴミ袋を装着してチリ取り装置を構成する形態について説明する。図６は、図４に示すチリ取り本体にゴミ袋を装着した場合の実施例２のチリ取り装置の構成を示す斜視図である。図６に示すように、チリ取り装置４０は、図４に示す構成のチリ取り本体３１と、該チリ取り本体３１に装着されたゴミ袋４１とによって構成されている。
【００３７】
図６に示すように、チリ取り本体３１の後部から右枠３４Ｒと左枠３４Ｌを包み込むようにゴミ袋４１の開口部分を覆い被せる。さらに、覆い被せたゴミ袋４１の開口部分の下部を掃き入れ口３２の裏面側から開口部３７の内側へ折り曲げる。
【００３８】
その後、ゴミ袋４１の開口部分の右端部を右枠３４Ｒに沿わせた後、右枠回動ピン３８Ｒを支点として右挟持部材３９Ｒを矢印ａ１の方向へ回動させて、右鍔３５Ｒとゴミ袋４１の開口部分の右端部とを一括して右挟持部材３９Ｒのスリット部分で挟み込む。
【００３９】
同様にして、ゴミ袋４１の開口部分の左端部を左枠３４Ｌに沿わせた後、左枠回動ピン３８Ｌを支点として左挟持部材３９Ｌを矢印ｂ１の方向へ回動させて、左鍔３５Ｌとゴミ袋４１の開口部分の左端部とを一括して左挟持部材３９Ｌのスリット部分で挟み込む。
【００４０】
これによって、ゴミ袋４１の開口部分の左右端は、左挟持部材３９Ｌ及び右挟持部材３９Ｒによって左鍔３５Ｌ及び右鍔３５Ｒと共に挟み込まれて固定される。さらに、ゴミ袋４１の開口部分の下端部は掃き入れ口３２の裏面側から開口部３７の内側へ折り曲げられた状態になっている。従って、ゴミ袋４１の開口部分は、掃き入れ口３２から開口部３７を経由して奥部へ通じた状態となる。これによって、チリ取り本体３１の掃き入れ口３２から掃き込まれたゴミは開口部３７から逐次ゴミ袋４１の内部へ収集されるので、チリ取り装置で掃き取ったゴミをその都度ゴミ袋へ回収する手間を省くことができる。従って、ちりとり装置４０の使い勝手が一段と向上する。
【００４１】
このようにしてチリ取り本体３１の掃き入れ口２２から掃き込まれたゴミでゴミ袋４１が一杯になったら、図６に示すように、右枠回動ピン３８Ｒを支点として右挟持部材３９Ｒを矢印ａ２の方向へ回動させる。これによって、ゴミ袋４１の開口部分の右端部は固定状態から開放される。同様にして、左枠回動ピン３８Ｌを支点として左挟持部材３９Ｌを矢印ｂ２の方向へ回動させる。これによって、ゴミ袋４１の開口部分の左端部は固定状態から開放される。従って、ゴミで一杯になったゴミ袋４１をチリ取り本体１から分離させてゴミ袋２１を廃棄処分することができるので、チリ取り装置４０の使い勝手が一段と向上する。
【００４２】
以上、本発明に係るチリ取り装置の実施例の幾つかについて詳細に説明したが、本発明は、これらの実施例に限定されるものではなく、本発明の精神を逸脱しない限り種々の改変を為すことができ、そして、本発明が該改変されたものに及ぶことは当然である。
【産業上の利用可能性】
【００４３】
本発明のチリ取り装置は、チリ取り本体にゴミ袋が一体的に取り付けられて容易に着脱することができるので、家庭用として利用できることは勿論であるが、特に、大量のゴミ掃き処理を行うような、公共施設、工場、事務所などにおいて有効に利用することができる。
【符号の説明】
【００４４】
１、３１  チリ取り本体
２、３２  掃き入れ口
３  底板
４Ｒ、３４Ｒ  右枠
４Ｌ、３４Ｌ  左枠
５Ｒ、３５Ｒ  右鍔
５Ｌ、３５Ｌ  左鍔
６  上板
７、３７  開口部
８  門型把体
９  補強部材
１０  把手
１１Ｒ、３８Ｒ  右枠回動ピン
１１Ｌ、３８Ｌ  左枠回動ピン
１１Ｕ  上板回動ピン
１２Ｒ、３９Ｒ  右挟持部材
１２Ｌ、３９Ｌ  左挟持部材
１２Ｕ  上板挟持部材
２０、４０  チリ取り装置
２１、４１  ゴミ袋
３６  棒状把手
【図１】
2012135436.tif 000003
【図２】
2012135436.tif 000004
【図３】
2012135436.tif 000005
【図４】
2012135436.tif 000006
【図５】
2012135436.tif 000007
【図６】
2012135436.tif 000008